(57)【要約】【課題】挟持ユニットと差込台をしっかりと結合するフラットケーブルコネクターを提供する。【解決手段】フラットケーブルコネクターは、挟持ユニットによって、ケーブル体の並列端を固定し、挟持ユニットと差込台を相互に接合し、差込台によってコネクター全体の着脱構造となる。そのうち、挟持ユニットの両側は差込台向きに突出した掛合板が軸設され、掛合板には、差込台向き前縁に延びた一端に鉤部が設置される。掛合板の別端には掛合板を差込台方向に押さえるバネ片が設置され、挟持ユニットが差込台を確実に結合する。【選択図】図２
0003104459.tif 000002
【実用新案登録請求の範囲】
【請求項１】
挟持ユニットによってケーブル体の並列端子を挟んで固定し、別に差込台と挟持ユニットを相互に接合し、差込台がコネクター全体の着脱構造主体とするフラットケーブルコネクターにおいて、
挟持ユニットの両側には差込台方向に伸びた掛合板が軸設され、掛合板には差込台前縁側の一端に鉤部が成形され、掛合板の別端には掛合板を差込台方向に押さえるバネ片が設置され、それによって挟持ユニットと差込台がしっかりと結合することを特徴とするフラットケーブルコネクター。
【請求項２】
前記挟持ユニットは、底フレームと上蓋によってケーブル体を挟んで定位し、その上蓋の最上面両側には掛合板を挿し込む位置限定槽が成形され、その位置限定槽の中間位置には上向きに定位軸が設置され、掛合板には定位軸に対応して差し込むための定位孔が成形され、掛合板が定位軸を軸心として可動することを特徴とする請求項1記載のフラットケーブルコネクター。
【請求項３】
前記バネ片は、一体で掛合板に設置されることを特徴とする請求項１記載のフラットケーブルコネクター。
【請求項４】
前記挟持ユニットは、底フレームの両側に上向きで折耳が成形され、上蓋には折耳に対応して穿設された嵌合孔が設置され、折耳を掛合孔に通し、上蓋向きに半折りすることによって、上蓋と底フレームが掛合されることを特徴とする請求項２記載のフラットケーブルコネクター。
【請求項５】
前記底フレームは、前縁に上蓋向きに固定の長さが伸び、底フレームの前縁両側には上向きにケーブル体を挟む定位部が設置されることを特徴とする請求項２記載のフラットケーブルコネクター。
【請求項６】
前記掛合板は、定位孔外周辺に定位孔を拡張する伸縮槽が設置されることを特徴とする請求項２載のフラットケーブルコネクター。
【考案の詳細な説明】
【技術分野】
【０００１】
本考案は、フラットケーブルコネクターに関するもので、設置が容易で、挟持ユニットと差込台がしっかりと固定されるものである。
【背景技術】
【０００２】
多くの電気製品の中で、関連電気ユニットの製造、修理に便利なように、多くは電気回路全体を幾つかの主要機能の電気から隔て、後に電気を連接するようになっている。またコネクターの着脱方式を利用して、主要機能部晶間の電気的連結を行う。これによって、装置全体のアップグレードや変更に有利なだけでなく、更には各主要機能部品の修理、交換に便利になる。更に単一機能の多くの電気部品は同時に類似機能の電気装置の中で応用し、電気部品の応用に更に適用性を持たせる。コネクターと回路板の間には適度な携み性の配線で連接し、電気部品の組立上の制限を下げる。
【０００３】
図１に示すのは、一般の普通配線とコネクター間の組立構造指示図で、そのうち、コネクター全体は、差込台３０にケーブル体１０を挿し込み、その他の電気回路の着脱に使用する。またケーブル体１０は適する撓み性を具えたユニットで、ケーブル体１０の並列端子１１を接続端子２１に挟み、そして端子フレーム２０から各接続端子２１の位置固定しなければ、確実な電気回路の連結ができない。
【０００４】
しかしながら、公知の端子フレーム２０は、接続端子２１の鉤爪構成によって挟持されて、ケーブル体１０と連結できるようになっている。更にその端子フレーム２０と差込台３０間には確実な連結構造がないため、コネクターを着脱する時の力が適切でないと、ケーブル体もしくは差込台が緩んで外れてしまう。
【考案の開示】
【考案が解決しようとする課題】
【０００５】
解決しようとする問題点は、端子フレームと差込台間に確実な連結構造がないため、ケーブル体もしくは差込台が緩んで外れてしまう点である。
【課題を解決するための手段】
【０００６】
本考案は、挟持ユニットによって、ケーブル体の並列端を固定し、挟持ユニットと差込台を相互に接合し、差込台によってコネクター全体の着脱構造となる。そのうち、挟持ユニットの両側は差込台向きに突出した掛合板が軸設され、掛合板には、差込台向き前縁に延びた一端に鉤部が設置される。掛合板の別端には掛合板を差込台方向に押さえるバネ片が設置され、挟持ユニットが差込台を確実に結合することを最も主要な特徴とする。
【考案の効果】
【０００７】
本考案のフラットケーブルコネクターは、挟持ユニットと差込台をしっかりと接合するという利点がある。
【考案を実施するための最良の形態】
【０００８】
図２は、挟持ユニット４０でケーブル体１０の並列端１１を挟んで位置を固定し、挟持ユニット４０と差込台３０を相互に固定して接合し、差込台３０がコネクター全体の着脱構造主体となる。
【０００９】
図３及び図４に示すとおり、挟持ユニット４０は、底フレーム４１と上蓋４２がケーブル体１０を挟持して固定する。上蓋４２の最上面両側に位置限定槽４２２が設置され、また位置限定槽４２２の中軸には、差込台３０向きに伸びた掛合板５０が設置され、その掛合板５０には差込台３０向きの前縁の一端に鉤部５１が成形され、掛合板５０の別端には掛合板５０が差込台３０を押さえるためのバネ片５４が設置される。これによって挟持ユニット４０と差込台３０が相互に差し込まれて定位した時、掛合板５０と差込台３０が掛合され、挟持ユニット４０と差込台３０が確実に結合されたフラットケーブルコネクター構造となる。
【００１０】
挟持ユニット４０の底フレーム４１両側には上向きに折耳４１１が設置され、上蓋４２には折耳４１１が対応して嵌合される嵌合孔４２１が穿設される。折耳４１１を嵌合孔４２１に入れ、上蓋４２向きに半折りすると、上蓋４２と底フレーム４１１が掛合される。また底フレーム４１の前縁は上蓋４２が固定するための長さがあり、底フレーム４１の前縁両側は上向きにケーブル体１０を固定する定位部４１２が設置されてケーブル体１０を確実に挟む。
【００１１】
更に図５に示すとおり、上蓋４２には位置限定槽４２中間位置に上向きに定位軸４２３が設置され、掛合板５０には相互に対応して定位軸４２３を挿し込む定位孔５２が穿設される。また定位孔５２外周には定位孔５２を拡張した伸縮槽５３が成形されることにより、定位軸４２３が簡単に定位孔５２内に入り、掛合板５０が定位軸４２３を軸心として動き、掛合板５０の鉤部５１が差込台３０を軽々と通過する。そして鉤部５１が差込台３０を通過すると、バネ片５４の作用によって、掛合板５０が差込台３０と相互に押さえる方向に動き、掛合板５０の鉤部５１が確実に差込台３０の前縁に掛合され、差込台３０が不当に抜けたり、緩んだりするのを防止する。
【図面の簡単な説明】
【００１２】
【図１】公知の普通ケーブルとコネクター間の組立構造指示図である。
【図２】本考案フラットケーブルコネクターの挟痔ユニットと差込台と組立指示図である。
【図３】本考案の挟持ユニット構造分解図である。
【図４】本考案挟持ユニットと差込台の挟持構造拡大指示図である。
【図５】本考案の掛合板と差込台の挟持方法指示図である。
【符号の説明】
【００１３】
１０  ケーブル体
１１  並列端
２０  端子フレーム
２１  接続端子
３０  差込台
４０  挟持ユニット
４１  底フレーム
４１１  折耳
４１２  定位部
４２  上蓋
４２１  嵌合孔
４２２  位置限定槽
４２３  定位軸
５０  掛合板
５１  鉤部
５２  定位孔
５３  伸縮槽
５４  バネ片
【図１】
0003104459.tif 000003
【図２】
0003104459.tif 000004
【図３】
0003104459.tif 000005
【図４】
0003104459.tif 000006
【図５】
0003104459.tif 000007